(57)【要約】      （修正有）【課題】蓋体に乾燥剤、酸素吸収剤、気体吸収剤及び揮散物質を収容することができ、包装容器内と収容した乾燥剤、酸素吸収剤、気体吸収剤及び揮散物質との間を移動する空気等の透過量を調製し、機能の能力を調製することができる包装容器を提供する。【解決手段】筒型の容器本体１と、容器本体とは別体で容器本体を開閉自在に密封し、機能性物質剤収容体がはめ込まれている蓋体２とを備える包装容器であって、蓋体は、内側に機能性物質剤収容体３がはめ込まれるインナーリング２１を備え、インナーリングは、先端部分から内側に突出し、機能性物質剤収容体が蓋体から抜け出すことを阻止する突起２０を有し、機能性物質剤収容体は、一端に開口部を有する内容器３０と、内容器に収容された機能性物質剤５と、内容器の開口部を封止する通気性シートとを備え、内容器は、その外周壁に複数の溝及び複数の溝によって区画された突条を有する。【選択図】図２
2014218272.tif 000002
【特許請求の範囲】
【請求項１】
筒型の容器本体と、前記容器本体とは別体で前記容器本体を開閉自在に密封し、機能性物質剤収容体がはめ込まれている蓋体とを備える包装容器であって、
前記蓋体は、内側に前記機能性物質剤収容体がはめ込まれるインナーリングを備え、
前記インナーリングは、先端部分から内側に突出し、前記機能性物質剤収容体が前記蓋体から抜け出すことを阻止する突起を有し、
前記機能性物質剤収容体は、一端に開口部を有する内容器と、前記内容器に収容された機能性物質剤と、前記内容器の開口部を封止する通気性シートとを備え、
前記内容器は、その外周壁に複数の溝及び前記複数の溝によって区画された突条を有する、包装容器。
【請求項２】
前記インナーリングの外周壁は、前記容器本体を密封している状態において、前記容器本体の内壁に接触する、請求項１に記載の包装容器。
【請求項３】
前記蓋体の内側天面の前記インナーリングより外側に、パッキンまたはコンタクトリングが設けられている、請求項１に記載の包装容器。
【請求項４】
包装容器の蓋体であって、
インナーリングと、
前記インナーリングの内側にはめ込まれている機能性物質剤収容体とを備え、
前記インナーリングは、先端部分から内側に突出し、前記機能性物質剤収容体が前記蓋体から抜け出すことを阻止する突起を有し、
前記機能性物質剤収容体は、一端に開口部を有する内容器と、前記内容器に収容された機能性物質剤と、前記内容器の開口部を封止する通気性シートとを備え、
前記内容器は、その外周壁に複数の溝及び前記複数の溝によって区画された突条を有することを特徴とする、蓋体。
【発明の詳細な説明】
【技術分野】
【０００１】
本発明は、乾燥、酸素等の気体吸収または揮散物質付与等の機能を備えた包装容器に関する。
【背景技術】
【０００２】
血液や尿の分析に用いるテストピース（検出センサチップ）は、湿気（水）により容易に劣化し、検出能力が低下する。従って、このようなテストピースの保存には、内部に乾燥剤を備えた容器が用いられる。例えば、乾燥剤を蓋体に収容する包装容器が提案されている。乾燥剤を収容できる蓋体としては、図２１に示すように、内側に孔が開いたプラスチック１０３で囲まれた乾燥剤１０４を収容する収容部１０５が設けられた蓋体１０２や、図２２に示すように、内側に開口部を有する乾燥剤１０４を収容する収容部２０５が設けられており、開口部を通気性のあるフィルム２０３で封止する蓋体２０２が提案されている。
【発明の概要】
【発明が解決しようとする課題】
【０００３】
上記の蓋体を用いた包装容器においては、包装容器内と収容部１０５または２０５内との間で移動する湿気（水）や空気の透過量を調節することができないため、包装容器の有する乾燥能力を調製することが困難であるという問題があった。また、テストピースの保存性を高めるため、収容部内に乾燥剤以外に酸素吸収剤等の気体吸収剤または揮散物質等を収容した場合も、同様の理由により、気体吸収または物質揮散の能力等を調製することが困難であった。
【０００４】
それ故に、本発明の課題は、蓋体に乾燥剤、酸素吸収剤、気体吸収剤及び揮散物質等を収容することができ、包装容器内と収容した乾燥剤、酸素吸収剤、気体吸収剤及び揮散物質との間を移動する湿気（水）や空気の透過量を調製し、乾燥、酸素等の気体吸収、または物質揮散等の機能の能力を調製することができる包装容器を提供することである。
【課題を解決するための手段】
【０００５】
本発明の一局面は、筒型の容器本体と、容器本体とは別体で容器本体を開閉自在に密封し、機能性物質剤収容体がはめ込まれている蓋体とを備える包装容器であって、蓋体は、内側に機能性物質剤収容体がはめ込まれるインナーリングを備え、インナーリングは、先端部分から内側に突出し、機能性物質剤収容体が蓋体から抜け出すことを阻止する突起を有し、機能性物質剤収容体は、一端に開口部を有する内容器と、内容器に収容された機能性物質剤と、内容器の開口部を封止する通気性シートとを備え、内容器は、その外周壁に複数の溝及び複数の溝によって区画された突条を有する。
【０００６】
本発明の他の局面は、筒型の容器本体と、容器本体とは別体で容器本体を開閉自在に密封し、機能性物質剤収容体がはめ込まれている蓋体とを備える包装容器であって、蓋体は、内側に機能性物質剤収容体がはめ込まれるインナーリングを備え、インナーリングは、先端部分から内側に突出し、機能性物質剤収容体が蓋体から抜け出すことを阻止する突起を有し、機能性物質剤収容体は、一端に開口部を有する内容器と、内容器に収容された機能性物質剤と、内容器の開口部を封止する通気性シートとを備え、内容器は、その外周壁に複数の溝及び複数の溝によって区画された突条を有する蓋体を提供する。
【発明の効果】
【０００７】
本発明によれば、蓋体に乾燥剤、酸素吸収剤、気体吸収剤及び揮散物質等を収容することができ、包装容器内と乾燥剤、酸素吸収剤、気体吸収剤及び揮散物質等を収容する内容器内との間を移動する湿気（水）や空気の透過量を調製し、乾燥、酸素等の気体吸収、または物質揮散等の機能の能力を調製することができる包装容器を提供することができる。
【図面の簡単な説明】
【０００８】
【図１】本発明に係る包装容器の斜視図
【図２】図１に示すＡ−Ａ’線に沿う断面図
【図３】本発明に係る包装容器の他の一例の閉栓状態を示す断面図
【図４】本発明に係る蓋体の他の一例を示す断面図
【図５】本発明に係る内容器の正面図
【図６】本発明に係る内容器の上面図
【図７】図６に示すＢ−Ｂ’線に沿う断面図
【図８】本発明に係る内容器の他の一例を示す断面図
【図９】機能性物質剤の充填方法を示す図
【図１０】通気性フィルムが内容器の開口部からはみ出した状態を示す図
【図１１】通気性フィルムが内容器の開口部からはみ出した状態を示す図
【図１２】包装容器の製造方法を示す図
【図１３】包装容器の製造方法を示す図
【図１４】本発明に係る包装容器の他の一例の閉栓状態を示す断面図
【図１５】本発明に係る蓋体の断面図
【図１６】内容器の突条の外壁形状の他の一例を示す図
【図１７】内容器の突条の外壁形状の他の一例を示す図
【図１８】内容器の突条の外壁形状の他の一例を示す図
【図１９】内容器の突条の外壁形状の他の一例を示す図
【図２０】内容器の突条の外壁形状の他の一例を示す図
【図２１】従来の蓋体を示す断面図
【図２２】従来の他の一例の蓋体を示す断面図
【発明を実施するための形態】
【０００９】
図１は、本発明に係る包装容器の一例を示す斜視図である。また、図２は、図１に示すＡ−Ａ’線に沿う断面図である。本発明に係る包装容器は、防湿性を有する樹脂（例えば、ポリプロピレン）等からなる。
【００１０】
［容器本体］
容器本体１は、筒型であり、一端は底板１１によって封止され、他の一端は開口している。筒型としては、円筒、角筒（四角柱、六角柱等）を例示できる。また、容器本体１は、後述する蓋体２によって、開口を開閉自在に密栓できるものであればよく、特に限定されるものではない。本実施形態では容器本体１の開口部近傍に外ネジが形成されている。
【００１１】
［蓋体］
蓋体２は、先端部分から内側に突出する突起（アンダーカット）２０が設けられているインナーリング２１を有している。本実施形態では、蓋体２は内ネジが形成された側面部を有し、蓋体２が容器本体１と螺合することにより容器本体１が密封される。インナーリング２１は、突起２０によって後述する機能性物質剤収容体３が蓋体２から抜け出さないように支持する役割を担っている。突起２０は、インナーリング２１の全周に設けられてもよく、部分的に設けられてもよく、機能性物質剤収容体３が蓋体２から抜け出さないように支持出来ればよい。突起２０をインナーリング２１の全周に設けるほうが、機能性物質剤収容体３が蓋体２から落下することをより確実に防止でき、好ましい。また、図３に示すように、インナーリング２１の外周壁を容器本体１の内壁と接する位置に設けることにより、容器本体１の密封性をより高めることができる。
【００１２】
また、図２に示すように、蓋体２の天面内側のインナーリング２１より外側には、パッキン６が備えられている。パッキン６を備えることにより、蓋体２を容器本体１の開口部に螺合した際、容器本体１の開口部上面と、蓋体２の内側面とを密着させることができ、包装容器を密栓することができる。なお、パッキン６を備える代わりに、図３に示すように、コンタクトリング７を設けた形状としてもよい。コンタクトリング７を設けた形状とした場合においても、パッキン６を備えた場合と同様の効果が得られる。
【００１３】
なお、上記では、容器本体１の開口部に螺合する例を示したが、図４に示すように、容器本体１の開口部に嵌合するリングとヒンジ２３を介して天面が接続された蓋体４２を用いてもよい。
【００１４】
［機能性物質剤収容体］
本発明に係る包装容器は、蓋体２の内側に挿入された機能性物質剤収容体３を有する。
【００１５】
機能性物質剤収容体３は、内容器３０と、内容器３０内部に収容された機能性物質剤５と、内容器３０の開口部を封止する通気性フィルム４とを備える。
【００１６】
図５は、内容器３０の正面図である。また、図６は、内容器３０の上面図である。また、図７は、図６に示すＢ−Ｂ’線に沿う断面図である。
【００１７】
以下に内容器３０の形状、大きさの一例を説明する。内容器３０は筒型であり、その一端は底板により封止され、他の一端は開口している。内容器３０の外周形状及び大きさは、蓋体２のインナーリング２１に挿入可能で、かつ、内容器３０の閉口部寸法ｂが、図２に示すインナーリング２１の開口部寸法ａより大きくなるように設定される。このことにより、インナーリング２１に挿入した機能性物質剤収容体３が、包装容器の振動や落下により、蓋体２から抜け出しにくくすることができる。また、内容器３０の開口部寸法ｃは、インナーリング２１の開口部寸法ａより０．０５ｍｍ以上小さくなるように設定されることが好ましい。内容器３０の外周壁には、その開口端と底部とを結ぶ溝３１が形成されており、溝３１を形成する底部の上端部の角は、面取りされている。また、内容器３０の外周壁は、溝３１によって区画された頂部である複数の突条３２を備える。また、突条３２の開口端側の外周壁は、曲率半径を１ｍｍとした曲面で面取りされたＲ面取りされている。図６では、突条３２を１５本備えているが、突条３２の本数は、機能性物質剤収容体３がインナーリング２１から抜け出すのを防止できれば制限されるものではなく、また、突条３２を外壁の外周全体に設けていなくてもよい。しかし、機能性物質剤収容体３がインナーリング２１から抜け出すのを防止する目的と型設計の設計条件より、突条３２の本数は２〜３０本が好ましい。また、溝３１の底部は平面で形成されているが、曲面で形成されていても良い。
【００１８】
突条３２の高さｄ及び幅ｗと、溝３１の深さｅ及び幅ｆとは、後述する包装容器の機能の能力の調製と被収容物の大きさとを考慮して適宜決定される。溝３１及び突条３２の数もまた、包装容器の機能の能力の調製を考慮して適宜決定される。
【００１９】
内容器３０の底板は、図７に示すような平面状であってもよい。また、内容器３０の底板は、図８に示すように中央部が内方側に陥入した凹形状であってもよい。図８に示す底板を採用した場合の作用効果については後述する。
【００２０】
また、内容器３０の材質としては、詳細は後述する通気性フィルム４をシールすることができる材質を用いる。
【００２１】
機能性物質剤５としては、乾燥剤、酸素吸収剤、気体吸収剤、揮散物質等を挙げることができ、これらの中から１種または２種以上を組み合わせて用いることができる。また、機能性物質剤５は、紛体、粒体、塊状の物質を用いることができ、必要な量だけ、内容器３０に収容する。
【００２２】
機能性物質剤５として用いる乾燥剤としては、被収容物を汚染浸食しない限りにおいて、公知乃至慣用の乾燥剤をいずれも使用することができ、特に制限されない。具体的には、例えば、酸化カルシウム、塩化カルシウム、焼ミョウバン、鉄粉等の化学系乾燥剤や、酸化アルミニウム、ゼオライト、モレキュラーシーブ、シリカゲル等の物理系乾燥剤を挙げることができる。
【００２３】
また、乾燥剤の種類を選択することにより、包装容器内の湿度を調製することができる。ゼオライト及び／又はモレキュラーシーブを用いた場合は、包装容器内の湿度を５％以下にすることが可能である。酸化カルシウム、塩化カルシウム等を用いた場合は、包装容器内の湿度を５〜１０％程度にすることが可能である。シリカゲル、酸化アルミニウムを用いた場合は、包装容器内の湿度をおおむね１０％とすることが可能である。
【００２４】
また、吸湿による乾燥剤の凝集や、摩擦等による塵埃の発生を回避したい場合には、物理系乾燥剤を使用することが好ましい。これらの中で、包装容器内の湿度を低く保持できること、温度変化に伴う乾燥効率の変化及び水の再放出をおこしにくいことからモレキュラーシーブを特に好適に使用することができる。
【００２５】
機能性物質剤５として用いる酸素吸収剤としては、鉄系の紛体、金属の紛体等を挙げることができる。
【００２６】
機能性物質剤５として用いる気体吸収剤としては、細孔径が３Å〜１２Å（０．３ｎｍ〜１．２ｎｍ）であるモレキュラーシーブ等を挙げることができる。
【００２７】
機能性物質剤５として用いる揮散物質としては、防カビ、防菌剤等の被収容物の保存性を高める物質を発散する物質を挙げることができる。
【００２８】
通気性フィルム４としては、通気性、透湿性及び防塵性を具備し、一定の強度を有するフィルムをいずれも使用することができる。具体的には、ポリエチレン、ポリプロピレン等の樹脂からなる不織布、微多孔性フィルム、及び微多孔性のポリエチレンまたはポリプロピレンのフィルムを例示できる。このようなフィルムの市販の例としては、米国デュポン社製；『Ｔｙｖｅｋ（登録商標）』、積水化成品工業株式会社製；『セルポア』、徳山曹達株式会社製；『ＮＦシート』、日東電工株式会社製『ニトフロン（登録商標）』を挙げることができる。
【００２９】
内容器３０に機能性物質剤５を収容し、内容器３０の開口部を通気性フィルム４で封止することにより機能性物質剤収容体３を製造することができる。
【００３０】
機能性物質剤５を内容器３０に収容する際には、例えば、図９に示すように充填ノズルを使用すると、効率的に収容作業を行うことができる。
【００３１】
機能性物質剤５を収容した後、内容器３０の開口部を通気性フィルム４で封止する。通気性フィルム４は、予め内容器３０の開口部の形状及び大きさに合わせて裁断される。このとき、図１０及び図１１に示すように、通気性フィルム４は内容器３０の開口部よりはみ出して裁断される。ここで、内容器３０の突条３２の開口端付近の外周壁がＲ面取りされていることと、内容器３０の開口部寸法ｃが、インナーリング２１の開口部寸法ａより０．０５ｍｍ以上小さくなるように設定されることとにより、内容器３０の開口部よりはみ出した通気性フィルム４が、機能性物質剤収容体３をインナーリング２１に挿入する際、突起２０と内容器３０とに擦られて、破れたり、削れたりすることを低減することができる。また、内容器３０を無理なくインナーリング２１に挿入することができる。裁断された通気性フィルム４は、空気吸引を利用した吸着アームを用いて内容器３０の開口部に位置あわせすることができる。
【００３２】
内容器３０の開口部を通気性フィルム４で封止する方法は特に制限されないが、超音波溶着、熱溶着、高周波シールなどを例示できる。図１２に示すように、吸着アームを用いて通気性フィルム４を保持しつつ、超音波ホーンを用いて加熱溶着することができる。内容器３０の開口部と通気性フィルム４との溶着面積は、両者の密着性を損なわない限りにおいて、小さい方が好ましい。溶着面積が大きいと、内容器３０を容器本体１に挿入した際に通気性フィルム４にしわやよじれが発生する原因となるため、好ましくない。また、通気性フィルム４として、アルミニウム構成の多孔フィルムを用いた場合、高周波シールを採用することができる。
【００３３】
上述のようにして得られた機能性物質剤収容体３を蓋体２のインナーリング２１内側に挿入する。図１３に示すように、機能性物質剤収容体３は、通気性フィルム４をインナーリング２１の付け根側に向けて挿入される。換言すると、内容器３０の開口部は、インナーリング２１の付け根側に向けられ、内容器３０の底は、インナーリング２１の突起２０側に向けられる。機能性物質剤収容体３は、底板がインナーリング２１の突起２０で支持されるように挿入される。
【００３４】
機能性物質剤収容体３を、蓋体２に収容後、蓋体２により容器本体１の開口を密栓することにより、容器本体１内に機能性物質剤５に基づく機能がもたらされた、本発明の包装容器が完成する。
【００３５】
本発明に係る包装容器において、内容器３０に機能性物質剤５として乾燥剤、酸素吸収剤、気体吸収剤が収容されている場合、内容器３０の外周壁には溝３１が設けられていることにより、包装容器内の湿気（水）や空気は、溝３１とインナーリング２１の内周壁との間の空間を通り、通気性フィルム４を透過して機能性物質剤５に吸着される。また、内容器３０に機能性物質剤５として揮散性物質が収容されている場合には、揮散性物質により発散されたガスが通気性フィルム４を透過して、溝３１とインナーリング２１の内周壁との間の空間を通り、包装容器内に充満させることができる。
【００３６】
包装容器が有する乾燥等の機能の能力は、上述のように機能性物質剤５の種類及び収容する量を選択することによっても調節できるが、溝３１の深さｅ及び幅ｆ、突条３２の高さｄ及び幅ｗ、並びにその数を選択することによって調節することができる。突条３２の高さｄ及び幅ｗを小さくし、溝３１の深さｅ及び幅ｆを大きくし、溝３１及び突条３２の本数を増やせば短時間に多量の湿気（水）や空気を透過させることができるため、瞬発力に優れた包装容器となるが、短時間に機能性物質剤５の機能を消費してしまうため、包装容器が有する機能の寿命は短くなる。所望の機能の能力に応じて、設定するのがより好ましい。
【００３７】
また、内容器３０の溝３１を形成する底部の上端部の角が、斜めに平面カットされたＣ面取りされている。Ｃ面取りを行うことにより、突起２０と内容器３０との隙間を大きく形成することができる。従って、突起２０がインナーリング２１の全周に設けられていても、容器本体１の内部の湿気（水）や空気が溝３１を通じて機能性物質剤収容体３に透過しにくくなるのを防いでいる。また、溝３１の底部の上端部を斜めに平面カットしてＣ面取りしているが、曲面で面取りされたＲ面取りでも良い。
【００３８】
図１４は、本発明に係る包装容器において、図８に示す内容器３０を採用した例を示す。乾燥剤の量を増やしたい場合、機能性物質剤収容体３の容積を大きくすればよい。ただし、容器本体１の高さに余裕がない場合は、単純に機能性物質剤収容体３の高さを大きくしただけでは、被収容物（テストピース等）の収容スペースを確保できないという問題がある。そこで、図１４のように包装容器を構成すれば、容器本体１の高さを変えることなく、機能性物質剤収容体３の容積を大きくし、より多くの機能性物質剤５を収容でき、かつ、同じ長さの被収容物（テストピース等）を収容することができる。また、図１１の内容器３０の底板は、外周部から徐々に内径が狭まるテーパー形状であるので、被収容物が底板の周縁部分に当たっている場合でも中央の凹部分に導かれ、蓋を閉める際の妨げとならない。従って、このテーパー形状により、安定して被収容物を収容することが可能となる。ただし、被収容物の安定した収容状態を考慮しなくてもよい場合は、底板の少なくとも一部に段差を設けることによって機能性物質剤収容体３の容積を調製することができる。
【００３９】
また、図２に示す容器本体１の開口を封止する蓋体２のインナーリング２１の下から容器本体１の底板１１までの高さＨ１は、蓋体２で容器本体１の開口部を封止する際、蓋体２のインナーリング２１の先端部と容器本体１の底板との間で被収容物が挟み込まれて変形することを防ぐために、被収容物の高さｈ以上の寸法とすることが好ましい。例えば、図２に示す容器本体１の開口を封止する蓋体２のインナーリング２１の下から容器本体１の底板１１までの高さＨ１の寸法は、一例として２８．３ｍｍとした。この場合、高さｈが２８．３ｍｍより低い被収容物を収容することが好ましい。
【００４０】
図１５に蓋体２の断面図を示す。図１３で示した機能性物質剤収容体３を挿入する空間の寸法は、一例として高さＨ２を１４．６ｍｍ、内径ｒを２２．３３ｍｍとした。
【００４１】
なお、内容器３０の突条３２の開口部付近の外壁は、曲面および平面を組み合わせた面取り形状としてもよい。例えば、図１６〜図１９に示す拡大断面図のように、曲線部と直線部とを繋ぎ合わせた断面形状とし、開口部側から底部に向かって徐々に外径が拡大する形状としてもよい。このような形状とすることにより、機能性物質剤収容体３をインナーリング２１に挿入する際、内容器３０の開口部からはみ出した通気性フィルム４が、突起２０と内容器３０とによって擦られることを低減することができる。また、内容器３０を無理なく容器本体１に挿入することができる。
【００４２】
また、内容器３０の突条３２の開口部側の外壁形状は、図２０に示すように、内容器３０の開口端から高さＤ２まで、突条３２の厚みを他の部分より一様に薄くして、他の部分より小さな外径を有する形状としてもよい。高さＤ２は、図１０及び図１１に示した内容器３０の開口部から通気性フィルム４のはみだし寸法Ｄ１より大きいことが好ましい。高さＤ２を通気性フィルム４のはみ出し寸法Ｄ１より大きくし、突条３２の厚みをインナーリング２１の開口部寸法ａより０．０５ｍｍ以上薄くすることにより、内容器３０の開口部から通気性フィルム４を内容器３０とインナーリング２１との間に収容することができる。よって、機能性物質剤収容体３をインナーリング２１に挿入する際、内容器３０の開口部からはみ出した通気性フィルム４が、突起２０と内容器３０とによって擦られることをさらに低減することができる。
【００４３】
なお、上記の実施形態においては、内容器３０に溝３１と突条３２とを設け、突条３２の高さｄ及び幅ｗと、溝３１の深さｅ及び幅ｆとで湿気（水）や空気の透過量の調製を行っている。しかしながら、内容器３０に溝３１と突条３２とを設ける代わりに、インナーリング２１に溝を設けることにより、湿気（水）や空気の透過量の調製を行ってもよい。また、インナーリング２１に溝を設ける場合、突起２０をインナーリング２１全周に設けなくてよい。
【００４４】
本発明に係る包装容器は、様々な機能性物質剤を単体のみでなく、混合して収容することができるため、複合的な機能を有することができる。また、内容器に設ける溝の深さと幅とを調製することにより、包装容器内と機能性物質剤収容体との間を移動する湿気（水）や空気の透過量を調製できるため、包装容器の機能の作用期間などを自由に調製することができる。
【００４５】
また、本発明に係る包装容器は、蓋体に機能性物質剤収容体を挿入するため、容器本体の底部に機能性物質剤収容体を挿入するものに比べ、挿入作業が容易となる。さらに、輸送する際、蓋体のみを密封包装することにより、包装容器の機能を保護できるため、輸送コストを抑えることができる。また、本発明は包装容器だけでなく、蓋体単体にも向けられる。
【産業上の利用可能性】
【００４６】
本発明に係る包装容器は、乾燥、酸素吸収、揮散物質付与等の機能が必要な容器として広範に利用できる。例えば、血糖値検査や尿検査に使用するためのテストピースや、薬剤（錠剤等）を収容するための容器として好適に使用することができる。
【符号の説明】
【００４７】
１    容器本体
２、４２    蓋体
３    機能性物質剤収容体
４    通気性フィルム
５    機能性物質剤
６    パッキン
７    コンタクトリング
１１    底板
２０    突起
２１    インナーリング
２３    ヒンジ
３０    内容器
３１    溝
３２    突条
【図１】
2014218272.tif 000003
【図２】
2014218272.tif 000004
【図３】
2014218272.tif 000005
【図４】
2014218272.tif 000006
【図５】
2014218272.tif 000007
【図６】
2014218272.tif 000008
【図７】
2014218272.tif 000009
【図８】
2014218272.tif 000010
【図９】
2014218272.tif 000011
【図１０】
2014218272.tif 000012
【図１１】
2014218272.tif 000013
【図１２】
2014218272.tif 000014
【図１３】
2014218272.tif 000015
【図１４】
2014218272.tif 000016
【図１５】
2014218272.tif 000017
【図１６】
2014218272.tif 000018
【図１７】
2014218272.tif 000019
【図１８】
2014218272.tif 000020
【図１９】
2014218272.tif 000021
【図２０】
2014218272.tif 000022
【図２１】
2014218272.tif 000023
【図２２】
2014218272.tif 000024